(57)【特許請求の範囲】
【請求項１】
受光面を表面に有する固体撮像素子と、
前記固体撮像素子の裏面側に配置され、前記固体撮像素子側である先端側において、配線パターンの一部が露出している基板と、
前記固体撮像素子と、前記配線パターンの露出部分との間に配置され、前記固体撮像素子の裏面と、前記配線パターンの露出部分とに接触する第１の放熱部材と、
前記配線パターンと電気的に接続されるケーブルと、
を備え、
前記配線パターンは、前記第１の放熱部材に接触する前記露出部分の幅が、前記基板の中心部における前記配線パターンの幅よりも太く形成されることを特徴とする内視鏡装置。
【請求項２】
前記基板は、複数の導体層を前記受光面と平行な方向に積層した積層基板と、前記固体撮像素子と前記積層基板とを電気的に接続する軟質基板とを含み、
前記積層基板の前記固体撮像素子の裏面と対向する端面において前記配線パターンの一部が露出していることを特徴とする請求項１に記載の内視鏡装置。
【請求項３】
前記基板の基端側において、前記ケーブルを覆う、絶縁性の第２の放熱部材をさらに備えたことを特徴とする請求項１又は２に記載の内視鏡装置。
【請求項４】
前記先端側で露出している配線パターンと電気的に接続された配線パターンの一部が、前記基板の基端側において露出していることを特徴とする請求項３に記載の内視鏡装置。
【請求項５】
前記第１の放熱部材は、前記固体撮像素子と前記積層基板とを固定する接着剤であることを特徴とする請求項２〜４のいずれか一項に記載の内視鏡装置。
【請求項６】
前記第１の放熱部材は、絶縁性部材であることを特徴とする請求項１〜５のいずれか一項に記載の内視鏡装置。
【請求項７】
前記第１の放熱部材は、導電性の部材であり、
前記配線パターンはグランド用又は電源用であることを特徴とする請求項１〜５のいずれか一項に記載の内視鏡装置。
【発明の詳細な説明】
【技術分野】
【０００１】
本発明は、被検体内に挿入される挿入部の先端に被検体内を撮像する撮像ユニットが設けられる内視鏡装置に関する。
【背景技術】
【０００２】
従来、医療分野および工業分野において、各種検査のために内視鏡装置が広く用いられている。このうち、医療用の内視鏡装置は、患者等の被検体の体腔内に、先端に固体撮像素子が設けられた細長形状をなす可撓性の挿入部を挿入することによって、被検体を切開せずとも体腔内の体内画像を取得でき、さらに、必要に応じて挿入部先端から処置具を突出させて治療処置を行うことができるため、広く用いられている。【０００３】
このような内視鏡装置では、固体撮像素子の電気特性を確保するために、固体撮像素子の駆動により発生する熱を放熱することが求められている。例えば、特許文献１では、固体撮像素子に接触するように熱伝導性の高い放熱部材を配置することを提案している。
【先行技術文献】
【特許文献】
【０００４】
【特許文献１】特開２００２−２９１６９３号公報
【発明の概要】
【発明が解決しようとする課題】
【０００５】
特許文献１に記載の技術では、固体撮像素子近辺に電気信号とは関係のない放熱用部材を配置しているため、固体撮像素子が搭載される内視鏡の挿入部先端の小型化を困難にしている。【０００６】
本発明は、上記に鑑みてなされたものであって、固体撮像素子が発生する熱を効率的に放熱すると同時に、内視鏡の小型化を実現する内視鏡装置を提供することを目的とする。
【課題を解決するための手段】
【０００７】
上述した課題を解決し、目的を達成するために、本発明にかかる内視鏡装置は、受光面を表面に有する固体撮像素子と、前記固体撮像素子の裏面側に配置され、前記固体撮像素子側である先端側において、配線パターンの一部が露出している基板と、前記固体撮像素子と、前記配線パターンの露出部分との間に配置される第１の放熱部材と、前記配線パターンと電気的に接続されるケーブルと、を備えたことを特徴とする。【０００８】
また、本発明にかかる内視鏡装置は、上記発明において、前記基板は、複数の導体層を前記受光面と平行な方向に積層した積層基板と、前記固体撮像素子と前記積層基板とを電気的に接続する軟質基板とを含み、前記積層基板の前記固体撮像素子の裏面と対向する端面において前記配線パターンの一部が露出していることを特徴とする。【０００９】
また、本発明にかかる内視鏡装置は、上記発明において、前記基板の基端側において、前記ケーブルを覆う、絶縁性の第２の放熱部材をさらに備えたことを特徴とする。【００１０】
また、本発明にかかる内視鏡装置は、上記発明において、前記先端側で露出している配線パターンと電気的に接続された配線パターンの一部が、前記基板の基端側において露出していることを特徴とする。【００１１】
また、本発明にかかる内視鏡装置は、上記発明において、前記第１の放熱部材は、前記固体撮像素子と前記積層基板とを固定する接着剤であることを特徴とする。【００１２】
また、本発明にかかる内視鏡装置は、上記発明において、前記第１の放熱部材は、絶縁性部材であることを特徴とする。【００１３】
また、本発明にかかる内視鏡装置は、上記発明において、前記第１の放熱部材は、導電性の部材であり、前記配線パターンはグランド用又は電源用であることを特徴とする。
【発明の効果】
【００１４】
本発明によれば、固体撮像素子が発生する熱を効率的に放熱すると同時に、内視鏡の小型化を実現する内視鏡装置を提供することができる。
【図面の簡単な説明】
【００１５】
【図１】図１は、本発明の実施の形態１による内視鏡システムの全体構成を模式的に示す図である。
【図２】図２は、図１に示す内視鏡先端の部分断面図である。
【図３】図３は、本発明の実施の形態１による撮像ユニットの部分断面図である。
【図４Ａ】図４Ａは、本発明の実施の形態１による積層基板の端面を示す平面図である。
【図４Ｂ】図４Ｂは、本発明の実施の形態１による積層基板上に形成される配線パターンを示す模式図である。
【図５】図５は、図３のＢ矢視図である。
【図６】図６は、本発明の実施の形態２による撮像ユニットの部分断面図である。
【図７】図７は、本発明の実施の形態３による撮像ユニットの部分断面図である。
【図８】図８は、本発明の実施の形態４による撮像ユニットの部分断面図である。
【図９】図９は、本発明の実施の形態５による撮像ユニットの部分断面図である。
【図１０】図１０は、本発明の実施の形態６による積層基板を示す断面図である。
【発明を実施するための形態】
【００１６】
以下の説明では、本発明を実施するための形態（以下、「実施の形態」という）として、撮像ユニットを備えた内視鏡装置について説明する。また、この実施の形態により、この発明が限定されるものではない。さらに、図面の記載において、同一部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００１７】
（実施の形態１）
図１は、本発明の実施の形態１による内視鏡システムの全体構成を模式的に示す図である。図１に示すように、内視鏡装置１は、内視鏡２と、ユニバーサルコード５と、コネクタ６と、光源装置７と、プロセッサ（制御装置）８と、表示装置１０とを備える。
【００１８】
内視鏡２は、挿入部３を被検体の体腔内に挿入することによって、被検体の体内画像を撮像し撮像信号を出力する。ユニバーサルコード５内部のケーブルは、内視鏡２の挿入部３の先端まで延伸され、挿入部３の先端部３ｂに設けられる撮像ユニットに接続する。
【００１９】
コネクタ６は、ユニバーサルコード５の基端に設けられて、光源装置７及びプロセッサ８に接続され、ユニバーサルコード５と接続する先端部３ｂの撮像ユニットが出力する撮像信号（出力信号）に所定の信号処理を施すとともに、撮像信号をアナログデジタル変換（Ａ／Ｄ変換）して画像信号として出力する。
【００２０】
光源装置７は、例えば、白色ＬＥＤを用いて構成される。光源装置７が点灯するパルス状の白色光は、コネクタ６、ユニバーサルコード５を経由して内視鏡２の挿入部３の先端から被写体へ向けて照射する照明光となる。
【００２１】
プロセッサ８は、コネクタ６から出力される画像信号に所定の画像処理を施すとともに、内視鏡装置１全体を制御する。表示装置１０は、プロセッサ８が処理を施した画像信号を表示する。
【００２２】
内視鏡２の挿入部３の基端側には、内視鏡機能を操作する各種ボタン類やノブ類が設けられた操作部４が接続される。操作部４には、被検体の体腔内に生体鉗子、電気メスおよび検査プローブ等の処置具を挿入する処置具挿入口４ａが設けられる。
【００２３】
挿入部３は、撮像ユニットが設けられる先端部３ｂと、先端部３ｂの基端側に連設された上下方向に湾曲自在な湾曲部３ａと、この湾曲部３ａの基端側に連設された可撓管部３ｃとを備える。湾曲部３ａは、操作部４に設けられた湾曲操作用ノブの操作によって上下方向に湾曲し、挿入部３内部に挿通された湾曲ワイヤの牽引弛緩にともない、たとえば上下の２方向に湾曲自在となっている。なお、ここでの上下方向は表示装置１０に表示される画像の上下方向と一致している。また、本明細書における上下方向は、挿入部３が延びる方向（長手方向）と直交する方向であって、互いに相反する方向である。
【００２４】
内視鏡２には、光源装置７からの照明光を伝送するライトガイド３２（図２）が配設され、ライトガイド３２による照明光の出射端にレンズユニット１１（図２）が配置される。このレンズユニット１１は、挿入部３の先端部３ｂに設けられており、照明光が被検体に向けて照射される。
【００２５】
次に、内視鏡２の先端部３ｂの構成について詳細に説明する。図２は、内視鏡２先端の部分断面図である。図３は、本発明の実施の形態１による撮像ユニットの部分断面図である。
【００２６】
図２及び図３は、内視鏡２の先端部３ｂに設けられた撮像ユニットの基板面に対して直交する面であって撮像ユニットの光軸方向と平行な面で切断した場合の断面図である。図２においては、内視鏡２の挿入部３の先端部３ｂと、湾曲部３ａの一部を図示する。また、図２において、上方向（ＵＰ）は湾曲部３ａの湾曲上方向及び表示装置１０に表示される画像の上方向に対応し、下方向（ＤＯＷＮ）は湾曲部３ａの湾曲下方向及び表示装置１０に表示される画像の下方向に対応している。
【００２７】
図２に示すように、湾曲部３ａは、被覆管３０ａ内側に配置する湾曲管内部に挿通された上方湾曲ワイヤ３５及び下方湾曲ワイヤ３６の牽引弛緩にともない、上下方向に湾曲自在である。この湾曲部３ａの先端側に延設された先端部３ｂ内部に、撮像ユニットが設けられる。被覆管３０ａは、湾曲部３ａが湾曲可能なように、柔軟な部材で構成されている。
【００２８】
撮像ユニットは、レンズユニット１１と、レンズユニット１１の基端側に配置する固体撮像素子１３とを有し、接着剤で先端部本体３０ｂの内側に接着される。先端部本体３０ｂは、撮像ユニットを収容する内部空間を形成するための硬質部材で形成される。先端部本体３０ｂが配置される先端部３ｂが挿入部３の硬質部分となる。この硬質部分の長さ（硬質長）は、挿入部３先端から先端部本体３０ｂの基端までとなる。
【００２９】
レンズユニット１１は、複数の対物レンズと、対物レンズを保持するレンズホルダとを有し、このレンズホルダの先端が、先端部本体３０ｂ内部に挿嵌固定されることによって、先端部本体３０ｂに固定される。
【００３０】
撮像ユニットは、ＣＣＤまたはＣＭＯＳなどの入射光に応じた電気信号を生成する固体撮像素子１３、固体撮像素子１３から光軸方向に延出するフレキシブル基板１６、フレキシブル基板１６表面に形成された複数の導体層を有する積層基板（硬質基板）１４、および固体撮像素子１３表面の受光面を覆った状態で固体撮像素子１３に接着するガラスリッド１２を備える。
【００３１】
レンズユニット１１によって結像された被写体９の像は、レンズユニット１１の結像位置に配設された固体撮像素子１３によって検出されて、撮像信号に変換される。撮像信号（出力信号）は、フレキシブル基板１６、積層基板１４、電子部品（第２チップ）１５、及び複合ケーブル３３（ケーブル３３ａ及び３３ｂを含む）を経由して、プロセッサ８に出力される。
【００３２】
固体撮像素子１３の下部電極には、フレキシブル基板１６のインナーリード１７が電気的に接続され、封止樹脂（接着剤）４１によって覆われることによって、固体撮像素子１３とフレキシブル基板１６とが接続される。
【００３３】
フレキシブル基板１６は、フレキシブルプリント基板であり、固体撮像素子１３の光軸方向に向かって、固体撮像素子１３から延出する。このフレキシブル基板１６表面には、複数の層が積層した積層基板１４が形成され、フレキシブル基板１６と電気的および機械的に接続する。なお、本実施の形態１において、積層基板１４の積層方向は、内視鏡２の挿入部３の長手方向に直交する方向（固体撮像素子１３の受光面に対して平行な方向）であるが、内視鏡２の挿入部３の長手方向（固体撮像素子１３の受光面に対して垂直な方向）であってもよい。
【００３４】
撮像ユニットの積層基板１４には、固体撮像素子１３の伝送用バッファ（第２チップ）等を構成する電子部品１５が実装され、複数の導体層間を電気的に導通させるビアが形成されている。また、積層基板１４の基端には、ケーブル３３ａ及びケーブル３３ｂの先端が接続する。なお、積層基板１４には、固体撮像素子１３の駆動回路を構成する電子部品以外の電子部品が実装されてもよい。
【００３５】
積層基板１４上面には、ケーブル３３ａ先端の導体が電気的かつ機械的に接続されるケーブル接続ランド１８が形成される。また、積層基板１４下面には、ケーブル３３ｂ先端の導体が電気的かつ機械的に接続されるケーブル接続ランド１９が形成される。ケーブル３３ａ及び３３ｂのケーブルシースは、積層基板１４の基端よりも後方側に配設され、ケーブルシースと積層基板１４はオーバーラップしない。なお、ケーブル３３ａ及び３３ｂは、固体撮像素子１３の駆動信号用の信号線、電源用の信号線、出力信号用の信号線のうちの少なくとも一つを含むケーブルである。また、放熱用のダミーケーブルを含んでもよい。複合ケーブル３３、及びそれを構成するケーブル３３ａ及び３３ｂのシールド線３７は、一つにまとめられて、積層基板１４の下面に形成される接地用ランドに接続される。
【００３６】
積層基板１４には、固体撮像素子１３の駆動回路を構成する複数の電子部品のうち、上部表面に一以上の電子部品が実装され、内部にも一以上の電子部品が埋設されることによって実装される。積層基板１４、電子部品１５、フレキシブル基板１６、複合ケーブル３３を含めた撮像ユニット全体が、固体撮像素子１３を光軸方向に投影した投影領域内に収まるように配置されている。
【００３７】
図３に示すように固体撮像素子１３の裏面と積層基板１４の固体撮像素子１３側側面の間には、例えば０．２ｍＷ／ｍ／Ｋ以上等、所定値以上の熱伝導率を有する、熱伝導性の高い部材（第１の放熱部材）４０ａが配置されている。積層基板１４の固体撮像素子１３側側面には、図４Ａを参照して後述するように配線パターン１４ｅが露出している。配線パターン１４ｅは、ケーブル３３ａ又は／及び３３ｂに電気的に接続されている。
【００３８】
固体撮像素子１３を駆動することにより発生する熱は、固体撮像素子１３の裏面から熱伝導性の高い部材４０ａを介して積層基板１４の配線パターン１４ｅに伝えられる。熱伝導性の高い部材４０ａは、例えば、熱伝導性の高い接着剤やセラミック部材であり、絶縁性であることが好ましい。積層基板１４の配線パターン１４ｅは、接続ランド等を介して複合ケーブル３３に電気的に接続されており、固体撮像素子１３の熱は、熱伝導性の高い部材４０ａ及び配線パターン１４ｅを介して複合ケーブル３３に伝えられて放熱される。
【００３９】
また、熱伝導性の高い部材４０ａと接触する部分において、フレキシブル基板１６上のレジスト層１６ｒに開口部１６ａを設けて、フレキシブル基板１６の配線パターン１６ｅを露出させて、該露出した配線パターン１６ｅに熱伝導性の高い部材４０ａから熱を伝えるようにしてもよい。熱伝導性の高い部材４０ａから露出した配線パターン１６ｅに伝えられた固体撮像素子１３の熱は、該配線パターン１６ｅを通り、ケーブル接続ランド１８、１９等を介して複合ケーブル３３に伝えられて放熱される。
【００４０】
さらに、積層基板１４の基端部を、ケーブル３３ａ及び３３ｂとの接続部を含めて、絶縁性で、且つ例えば０．２ｍＷ／ｍ／Ｋ以上等、所定値以上の熱伝導率を有する、熱伝導性の高い接着剤（第２の放熱部材）４０ｂで覆うようにしてもよい。このようにすることで、固体撮像素子１３から熱伝導性の高い部材４０ａを介して積層基板１４に伝えられた熱が複合ケーブル３３に含まれる全てのケーブル３３ａ、３３ｂに伝えられる。また、複合ケーブル３３に含まれるケーブル３３ａと３３ｂとを接着剤４０ｂで接続するので、例えば、配線パターン１４ｅを介してケーブル３３ａのみに熱が伝えられる場合にも、接着剤４０ｂを介してケーブル３３ｂにも熱を伝えることが可能となる。なお、積層基板１４の基端部においても、先端部と同様に積層基板１４の配線パターン１４ｅを露出させてもよい。
【００４１】
図４Ａは、本発明の実施の形態１による積層基板の端面を示す平面図である。図４Ａに示す積層基板１４の端面は、積層基板１４の先端側（固体撮像素子１３側）の端面であり、図３に示す内視鏡先端のＡ−Ａ線断面である。
【００４２】
積層基板１４は、表面（上面もしくは下面）に配線パターン１４ｅが形成された導体層１４ａ〜１４ｄを、接着剤１４０で張り合わせることにより形成される。配線パターン１４ｅの側面は、図４Ａに示すように、積層基板１４の先端側（固体撮像素子１３側）の端面において露出している。このように、配線パターン１４ｅの側面を露出させることにより、該側面を熱伝導性の高い部材４０ａに直接接触させることが可能となり、固体撮像素子１３から熱伝導性の高い部材４０ａに伝わった熱を、効率的に配線パターン１４ｅに伝えることが可能となる。
【００４３】
なお、積層基板１４の先端側（固体撮像素子１３側）の端面において露出させる配線パターン１４ｅは、いずれの信号用のパターンであってもよいが、パターン面積が大きいグランド（接地）用のベタパターンであることが好ましい。なお、配線パターン１４ｅがグランド用又は電源用の配線パターンである場合には、熱伝導性の高い部材４０ａは導電性部材であってもよい。
【００４４】
図４Ｂは、本発明の実施の形態１による積層基板上に形成される配線パターンを示す模式図である。図４Ｂでは、積層基板１４を構成する導体層１４ａの上面を示している。導体層１４ａの上面には、配線パターン１４ｅが形成されており、導体層１４ａの端部付近の配線パターン１４ｅの端部１４ｅｘの幅は、導体層１４ａの中心部の配線パターン１４ｅの幅よりも太く形成されている。これにより、積層基板１４の端面において露出する配線パターン１４ｅの幅が太くなり、配線パターン１４ｅの露出面積を増加させることが可能となり、放熱効率を向上させることができる。なお、配線パターン１４ｅの幅は均一とすることもできる。
【００４５】
図４Ａ及び図４Ｂでは、積層基板１４の先端側（固体撮像素子１３側）の端面について説明したが、積層基板１４の基端側（複合ケーブル３３側）の端面についても同様の構造とすることができる。すなわち、積層基板１４の基端側の端面においても、配線パターン１４ｅの端面を露出させることが可能である。また、それとともに、端部１４ｅｘの幅を太くして端面の露出面積を増やすことが可能である。
【００４６】
図５は、図３のＢ矢視図である。図５においては、フレキシブル基板１６の下面（積層基板１４に接続されていない方の面）が示されている。図中、点線で示す部材は、フレキシブル基板１６の上面（積層基板１４に接続される方の面）に設けられた部材を示す。
【００４７】
フレキシブル基板１６の下面の基端側には、複合ケーブル３３との接続のためにケーブル接続ランド１９が設けられている。フレキシブル基板１６の上面には、積層基板１４との接続のために基板接続ランド２８が設けられており、基板接続ランド２８とケーブル接続ランド１９は、配線パターン１６ｅにより電気的に接続されている。
【００４８】
従来、基板接続ランド２８において接着剤等によりフレキシブル基板１６と積層基板１４とが接着されていたが、基板接続ランド２８とケーブル接続ランド１９が配線パターン１６ｅにより電気的に接続されているため、ケーブル接続ランド１９に複合ケーブル３３を接続する際のはんだ熱が、ケーブル接続ランド１９から配線パターン１６ｅを介して基板接続ランド２８に伝わり、接着剤を溶融してフレキシブル基板１６が積層基板１４から分離して反ってしまうことがあった。
【００４９】
本実施の形態では、フレキシブル基板１６の上面に、ケーブル接続ランド１９と接続されない接続強化用ランド３８を設け、接続強化用ランド３８においても接着剤等によりフレキシブル基板１６と積層基板１４とを接着するようにした。接続強化用ランド３８は、ケーブル接続ランド１９と接続されないため、ケーブル接続ランド１９に複合ケーブル３３を接続する際のはんだ熱が伝わらないので、接着剤の再溶融を防ぐことができる。よって、フレキシブル基板１６が積層基板１４から分離して反ってしまうことを防止することができる。
【００５０】
以上、本発明の実施の形態１によれば、固体撮像素子１３の駆動時に発生する熱を、固体撮像素子１３の裏面に接して設けられる熱伝導性の高い部材４０ａを介して、積層基板１４の先端側（固体撮像素子１３側）の端面に露出する配線パターン１４ｅに伝えることが可能となる。これにより、固体撮像素子１３の熱は、配線パターン１４ｅを通り、複合ケーブル３３に伝えられ、効率的に放熱される。
【００５１】
（実施の形態２）
図６は、本発明の実施の形態２による撮像ユニットの部分断面図である。実施の形態２では、実施の形態１に加えて、固体撮像素子１３の裏面に放熱用の電極１３ａを設けている。放熱用の電極１３ａは、例えば、ＢＧＡなどで構成される。また、放熱用の電極１３ａは、金属層などで構成してもよい。固体撮像素子１３の裏面に放熱用の電極１３ａを設けることにより、固体撮像素子１３の熱を、さらに効率的に熱伝導性の高い部材４０ａに伝えることが可能となる。
【００５２】
（実施の形態３）
図７は、本発明の実施の形態３による撮像ユニットの部分断面図である。実施の形態３では、実施の形態１に加えて、積層基板１４の配線パターン１４ｅが疎である部分に穴１４ｈ１を積層方向（縦方向）に形成し、当該穴１４ｈ１に金属からなる放熱部材１４ｒを挿入することにより、固体撮像素子１３から積層基板１４に伝えられた熱を放熱させる。さらに、穴１４ｈ１に加えて、又は代えて、積層方向ではなく積層方向に直交する方向（横方向）に穴１４ｈ２を形成してもよい。また、放熱部材１４ｒに放熱線などの別金属部材を接続して放熱効率を高めてもよい。
【００５３】
（実施の形態４）
図８は、本発明の実施の形態４による撮像ユニットの部分断面図である。実施の形態４では、実施の形態１に加えて、複合ケーブル３３のシールド線３７を積層基板１４に接続し、当該接続部分を絶縁性で高い熱伝導性の接着剤４０ｂで覆うことにより、固体撮像素子１３から積層基板１４に伝えられた熱を複合ケーブル３３のシールド線３７に伝えて、放熱効率を高めている。
【００５４】
（実施の形態５）
図９は、本発明の実施の形態５による撮像ユニットの部分断面図である。実施の形態５では、実施の形態１に加えて、積層基板１４に切り欠き部１４ｓを設けている。切り欠き部１４ｓは、図９に示すように、積層基板１４の基端部側の接着剤４０ｂに覆われた領域に設けることが好ましいが、それ以外の場所に設けてもよい。切り欠き部１４ｓ内部においては、配線パターン１４ｅの端面及び上面が露出している。切り欠き部１４ｓを設けることにより、配線パターン１４ｅの露出面積を増加させることが可能となり、放熱効率を向上させることができる。
【００５５】
（実施の形態６）
図１０は、本発明の実施の形態６による積層基板を示す断面図である。実施の形態６では、積層基板１４の各導体層１４ａ〜１４ｄを、積層方向と直交する方向に交互にずらして積層し、積層基板１４の端面において、配線パターン１４ｅの上面を露出させている。なお、各導体層１４ａ〜１４ｄをずらす方向は、積層基板１４の先端及び基端を前後方向とした場合において、前後方向及び左右方向のいずれにずらしてもよい。また、積層基板１４の先端部もしくは基端部のいずれか一方のみで、各導体層１４ａ〜１４ｄを前後方向にずらしてもよい。各導体層１４ａ〜１４ｄを交互にずらすことにより、配線パターン１４ｅの上面を露出させ、配線パターン１４ｅの露出面積を増加させることが可能となり、放熱効率を向上させることができる。
【符号の説明】
【００５６】
１  内視鏡装置
２  内視鏡
３ａ  湾曲部
３ｂ  先端部
３ｃ  可撓管部
４  操作部
４ａ  処置具挿入口
５  ユニバーサルコード
６  コネクタ
７  光源装置
８  プロセッサ
９  被写体
１０  表示装置
１１  レンズユニット
１２  ガラスリッド
１３  固体撮像素子
１４  積層基板
１４ａ、１４ｂ，１４ｃ、１４ｄ  導体層
１４ｅ、１６ｅ  配線パターン
１４ｈ１、１４ｈ２  穴
１４ｒ  放熱部材
１４ｓ  切り欠き部
１５  電子部品
１６  フレキシブル基板
１６ａ  開口部
１６ｒ  レジスト層
１７  インナーリード
１８、１９  ケーブル接続ランド
２８  基板接続ランド
３０ａ  被覆管
３０ｂ  先端部本体
３２  ライトガイド
３３  複合ケーブル
３３ａ、３３ｂ  ケーブル
３５  上方湾曲ワイヤ
３６  下方湾曲ワイヤ
３７  シールド線
３８  接続強化用ランド
４０ａ  熱導電性の高い部材（第１の放熱部材）
４０ｂ  接着剤（第２の放熱部材）
４１  封止樹脂
【要約】
内視鏡装置は、受光面を表面に有する固体撮像素子と、前記固体撮像素子の裏面側に配置され、前記固体撮像素子側である先端側において、配線パターンの一部が露出している基板と、前記固体撮像素子と、前記配線パターンの露出部分との間に配置される第１の放熱部材と、前記配線パターンと電気的に接続されるケーブルと、を備えたことを特徴とする。【図１】
0005775984.tif 000002
【図２】
0005775984.tif 000003
【図３】
0005775984.tif 000004
【図４Ａ】
0005775984.tif 000005
【図４Ｂ】
0005775984.tif 000006
【図５】
0005775984.tif 000007
【図６】
0005775984.tif 000008
【図７】
0005775984.tif 000009
【図８】
0005775984.tif 000010
【図９】
0005775984.tif 000011
【図１０】
0005775984.tif 000012